(57)【要約】【課題】部品点数を削減して原価低減を可能にした電動ステアリングロック装置を提供すること。【解決手段】電動ステアリングロック装置１は、モータの回転駆動力により回転される回転シャフト２と、その回転シャフト２のねじ部３と螺合して軸方向に移動されるロックストッパ４と、そのロックストッパ４の移動により進退してステアリング側のロックホルダ１１に係脱されるロックバー５とを備える。ロックストッパ４とロックバー５とに亘り、リーフスプリング６が設けられている。リーフスプリング６は、軸方向に沿った双方の向きにロックストッパ４を付勢可能である。モータからロックバー５に至る一連の作動機構の支持母体であるロックボデー７には、リーフスプリング６に係合可能な突起８が設定されている。【選択図】図１
2017047797.tif 000002
【特許請求の範囲】
【請求項１】
モータの回転駆動力により回転される回転シャフトと、その回転シャフトのねじ部と螺合して軸方向に移動されるロックストッパと、そのロックストッパの移動により進退してステアリング側のロックホルダに係脱されるロックバーとを備える電動ステアリングロック装置において、
前記軸方向に沿った双方の向きに前記ロックストッパを付勢可能な単一の付勢部材を備える
ことを特徴とする電動ステアリングロック装置。
【請求項２】
前記ロックバーが前記ロックホルダに係合されたロック時に前記単一の付勢部材に係合して当該単一の付勢部材から前記ロックストッパに対し前記軸方向に沿った一方の向きに付勢力を与えるロック時付勢力付与手段を備える
請求項１に記載の電動ステアリングロック装置。
【請求項３】
前記ロック時付勢力付与手段は、前記ロックバーである
請求項２に記載の電動ステアリングロック装置。
【請求項４】
前記ロックバーが前記ロックホルダから係合解除されたアンロック時に前記単一の付勢部材に係合して当該単一の付勢部材から前記ロックストッパに対し前記軸方向に沿った他方の向きに付勢力を与えるアンロック時付勢力付与手段を備える
請求項１〜３のいずれか一項に記載の電動ステアリングロック装置。
【請求項５】
前記アンロック時付勢力付与手段は、前記モータから前記ロックバーに至る一連の作動機構の支持母体であるロックボデーの突起である
請求項４に記載の電動ステアリングロック装置。
【発明の詳細な説明】
【技術分野】
【０００１】
本発明は、モータの回転駆動力により回転される回転シャフトと、その回転シャフトのねじ部と螺合して軸方向に移動されるロックストッパと、そのロックストッパの移動により進退してステアリング側のロックホルダに係脱されるロックバーとを備える電動ステアリングロック装置に関する。
【背景技術】
【０００２】
特許文献１には、モータの回転駆動力をロックバーに伝達し、ロックバーをステアリング側のロックホルダに嵌合してステアリングをロックし、嵌合を解除してステアリングをアンロックする電動ステアリングロック装置が開示されている。
【０００３】
図２（ａ）、（ｂ）に示すように、電動ステアリングロック装置５１は、モータの回転駆動力により回転される回転シャフト５２と、その回転シャフト５２のねじ部５３と螺合して軸方向に移動されるロックストッパ５４と、そのロックストッパ５４の移動により進退してステアリング側のロックホルダ６１に係脱されるロックバー５５とを備える。そして、ロックストッパ５４とロックバー５５とに亘り、第１のスプリング５６が設けられるとともに、モータからロックバー５５に至る一連の作動機構の支持母体であるロックボデー５７とロックストッパ５４とに亘り、第２のスプリング５８が設けられている。
【０００４】
図２（ａ）に示すように、第１のスプリング５６は、ロック時にロックストッパ５４を図の上向きに付勢する。これにより、ロックストッパ５４は、ロック作動によりねじ部５３から図の下側に脱落したとしても、アンロック作動に伴い、再びねじ部５３と螺合する。つまり、第１のスプリング５６は、ロック時のねじ部空回り復帰機能を有する。
【０００５】
図２（ｂ）に示すように、第２のスプリング５８は、アンロック時にロックストッパ５４を図の下向きに付勢する。これにより、ロックストッパ５４は、アンロック作動によりねじ部５３から図の上側に脱落したとしても、ロック作動に伴い、再びねじ部５３と螺合する。つまり、第２のスプリング５８は、アンロック時のねじ部空回り復帰機能を有する。
【先行技術文献】
【特許文献】
【０００６】
【特許文献１】特開２００８−１８４０５５号公報
【発明の概要】
【発明が解決しようとする課題】
【０００７】
ロックストッパ５４が脱落した場合に、ねじ部５３の空回り状態から螺合状態に復帰させる機能を満たすために、圧縮スプリング等を２個使用する構成では、部品点数が増加するとともに、組付工数が増し、原価の高騰を招くことになる。
【０００８】
本発明は、このような問題点に着目してなされたものであって、その目的は、部品点数を削減して原価低減を可能にした電動ステアリングロック装置を提供することにある。
【課題を解決するための手段】
【０００９】
上記課題を解決する電動ステアリングロック装置は、モータの回転駆動力により回転される回転シャフトと、その回転シャフトのねじ部と螺合して軸方向に移動されるロックストッパと、そのロックストッパの移動により進退してステアリング側のロックホルダに係脱されるロックバーとを備える電動ステアリングロック装置において、前記軸方向に沿った双方の向きに前記ロックストッパを付勢可能な単一の付勢部材を備えることをその要旨としている。
【００１０】
この構成によれば、ロックストッパが回転シャフトのねじ部から軸方向の一側及び他側のいずれの側に脱落したとしても、軸方向に沿った双方の向きにロックストッパを付勢可能な単一の付勢部材を使用して、ねじ部の空回り状態から螺合状態に復帰させることができる。つまり、ロック時のねじ部空回り復帰機能及びアンロック時のねじ部空回り復帰機能の２機能を満たすために、付勢部材を１個使用すればよいことになる。したがって、部品点数を削減して原価を低減することができる。
【００１１】
上記電動ステアリングロック装置について、前記ロックバーが前記ロックホルダに係合されたロック時に前記単一の付勢部材に係合して当該単一の付勢部材から前記ロックストッパに対し前記軸方向に沿った一方の向きに付勢力を与えるロック時付勢力付与手段を備えることとしてもよい。
【００１２】
この構成によれば、単一の付勢部材は、ロック時にロック時付勢力付与手段に係合されてロックストッパを軸方向に沿った一方の向きに付勢する。これにより、ロックストッパは、ロック作動によりねじ部から軸方向の他側に脱落したとしても、アンロック作動に伴い、再びねじ部と螺合する。つまり、単一の付勢部材にロック時のねじ部空回り復帰機能を持たせることができる。
【００１３】
上記電動ステアリングロック装置について、前記ロック時付勢力付与手段は、前記ロックバーであることとしてもよい。
この構成によれば、ロック作動の過程でロックバーの移動が阻まれたとしても、単一の付勢部材が付勢力を蓄えることでロックストッパの移動は許容される。つまり、単一の付勢部材にロック時のロックホルダへの底着き距離調整機能を持たせることができる。
【００１４】
上記電動ステアリングロック装置について、前記ロックバーが前記ロックホルダから係合解除されたアンロック時に前記単一の付勢部材に係合して当該単一の付勢部材から前記ロックストッパに対し前記軸方向に沿った他方の向きに付勢力を与えるアンロック時付勢力付与手段を備えることとしてもよい。
【００１５】
この構成によれば、単一の付勢部材は、アンロック時にアンロック時付勢力付与手段に係合されてロックストッパを軸方向に沿った他方の向きに付勢する。これにより、ロックストッパは、アンロック作動によりねじ部から軸方向の一側に脱落したとしても、ロック作動に伴い、再びねじ部と螺合する。つまり、単一の付勢部材にアンロック時のねじ部空回り復帰機能を持たせることができる。
【００１６】
上記電動ステアリングロック装置について、前記アンロック時付勢力付与手段は、前記モータから前記ロックバーに至る一連の作動機構の支持母体であるロックボデーの突起であることとしてもよい。
【００１７】
この構成によれば、ロックボデーの突起をアンロック時付勢力付与手段として使用することで、部品点数の増加を回避できる。
【発明の効果】
【００１８】
本発明によれば、部品点数を削減して原価を低減することができる。
【図面の簡単な説明】
【００１９】
【図１】電動ステアリングロック装置の構成を示す模式図であって、（ａ）はロック時を示す模式図、（ｂ）はアンロック時を示す模式図。
【図２】従来の電動ステアリングロック装置を示す模式図であって、（ａ）はロック時を示す模式図、（ｂ）はアンロック時を示す模式図。
【発明を実施するための形態】
【００２０】
以下、電動ステアリングロック装置の一実施の形態について説明する。
図１（ａ）、（ｂ）に示すように、電動ステアリングロック装置１は、モータ（図示略）の回転駆動力により回転される回転シャフト２と、その回転シャフト２のねじ部３と螺合して軸方向（図の上下方向）に移動されるロックストッパ４と、そのロックストッパ４の移動により進退してステアリング側のロックホルダ１１に係脱されるロックバー５とを備える。ロックストッパ４とロックバー５とに亘り、リーフスプリング６が設けられている。リーフスプリング６は、軸方向に沿った双方の向き（図の上向き及び下向き）にロックストッパ４を付勢可能である。リーフスプリング６は、単一の付勢部材に相当する。モータからロックバー５に至る一連の作動機構の支持母体であるロックボデー７には、リーフスプリング６に係合可能な突起８が設定されている。
【００２１】
次に、電動ステアリングロック装置１の作用について説明する。
図１（ａ）に示すように、ロックバー５の先端がロックホルダ１１に係合されたロック時には、ロックバー５の基端側がリーフスプリング６に係合することで、リーフスプリング６がロックストッパ４を図の上向きに付勢する。これにより、ロックストッパ４は、回転シャフト２が正転されるロック作動によりねじ部３から図の下側に脱落したとしても、回転シャフト２が逆転されるアンロック作動に伴い、再びねじ部３と螺合する。このとき、リーフスプリング６は、ロック時のねじ部空回り復帰機能を有することになる。そして、ロックバー５は、ロック時付勢力付与手段に相当する。
【００２２】
ところで、ロック作動の過程でロックバー５が定位置に達する前にロックバー５の移動が阻まれたとしても、リーフスプリング６が撓みつつ付勢力を蓄えることでロックストッパ４の移動は許容される。このとき、リーフスプリング６は、ロック時のロックホルダ１１への底着き距離調整機能を有することになる。
【００２３】
図１（ｂ）に示すように、ロックバー５がロックホルダ１１から係合解除されたアンロック時には、ロックボデー７に設定された突起８がリーフスプリング６に係合することで、リーフスプリング６がロックストッパ４を図の下向きに付勢する。これにより、ロックストッパ４は、アンロック作動によりねじ部３から図の上側に脱落したとしても、ロック作動に伴い、再びねじ部３と螺合する。このとき、リーフスプリング６は、アンロック時のねじ部空回り復帰機能を有することになる。そして、ロックボデー７の突起８は、アンロック時付勢力付与手段に相当する。
【００２４】
以上説明したように、本実施の形態によれば、以下の効果を奏することができる。
（１）ロックストッパ４が回転シャフト２のねじ部３から軸方向の一側及び他側のいずれの側に脱落したとしても、軸方向に沿った双方の向きにロックストッパ４を付勢可能な単一のリーフスプリング６を使用して、ねじ部３の空回り状態から螺合状態に復帰させることができる。つまり、ロック時のねじ部空回り復帰機能及びアンロック時のねじ部空回り復帰機能の２機能を満たすために、リーフスプリング６を１個使用すればよいことになる。したがって、部品点数を削減して原価を低減することができる。
【００２５】
（２）単一のリーフスプリング６は、ロック時にロックバー５に係合されてロックストッパ４を軸方向に沿った一方の向きに付勢する。これにより、ロックストッパ４は、ロック作動によりねじ部３から軸方向の他側に脱落したとしても、アンロック作動に伴い、再びねじ部３と螺合する。つまり、単一のリーフスプリング６にロック時のねじ部空回り復帰機能を持たせることができる。
【００２６】
（３）ロック作動の過程でロックバー５の移動が阻まれたとしても、単一のリーフスプリング６がロックバー５に係合されつつ付勢力を蓄えることでロックストッパ４の移動は許容される。つまり、単一のリーフスプリング６にロック時のロックホルダ１１への底着き距離調整機能を持たせることができる。
【００２７】
（４）単一のリーフスプリング６は、アンロック時に突起８に係合されてロックストッパ４を軸方向に沿った他方の向きに付勢する。これにより、ロックストッパ４は、アンロック作動によりねじ部３から軸方向の一側に脱落したとしても、ロック作動に伴い、再びねじ部３と螺合する。つまり、単一のリーフスプリング６にアンロック時のねじ部空回り復帰機能を持たせることができる。
【００２８】
（５）アンロック時にロックボデー７の突起８をリーフスプリング６に係合させつつ、リーフスプリング６からロックストッパ４に対し付勢力を与えることとした。ロックボデー７に設定した突起８をアンロック時付勢力付与手段として使用することで、部品点数の増加を回避できる。
【００２９】
（６）上記３機能を１つのリーフスプリング６で実現することができる。
尚、上記実施の形態は、次のように変更して具体化することも可能である。
・ロックボデー７がボデー本体とリッド（蓋部材）とに細分化される場合、突起８はリッドの一部分であってもよい。
【００３０】
・本発明はロックバーの作動にねじ構造を使用している電動ステアリングロック装置に適用可能である。
【符号の説明】
【００３１】
１…電動ステアリングロック装置、２…回転シャフト、３…ねじ部、４…ロックストッパ、５…ロックバー（ロック時付勢力付与手段）、６…リーフスプリング（単一の付勢部材）、７…ロックボデー、８…突起（アンロック時付勢力付与手段）、１１…ロックホルダ。
【図１】
2017047797.tif 000003
【図２】
2017047797.tif 000004